(57)【特許請求の範囲】
【請求項１】
不使用時は奥壁側に沿うように垂下でき、使用時は手前側に両側支持案内レール２をガイドにして、回動させながら引き上げ引き出すことができるようにしたハンガーにおいて、２本のハンガーロッド１の両端を連結したステー３に設けたローラー６を支持する左右の支持案内レール２を壁部４に取り付け、前記支持案内レール２は奥壁側は切り欠き部９が形成され、奥壁側と反対側には落し込み部８が形成されていて、前記２本のハンガーロッド１を連結しているステー３に設けられたローラー６のうち、一対のどちらか一方のローラー６は支持案内レール２の奥壁側の切り欠き部９より大きい径のものを取り付け、他方の一対のローラー６は奥壁側の切り欠き部９より小さい径のローラー６を取り付けたダブルハンガーを前記支持案内レール２に係合させたことを特徴とするハンガー。
【請求項２】
浴室のデッドスペースに相当する浴槽上方に設置するハンガーにおいて、２本のハンガーロッド１の両端を連結したステー３に設けたローラー６を支持する左右の支持案内レール２を浴室内の浴槽１８側の両側壁部４に取り付け、前記支持案内レール２は奥壁側は切り欠き部９が形成され、奥壁側と反対側には落し込み部８が形成されていて、前記２本のハンガーロッド１を連結しているステー３に設けられたローラー６のうち、一対のどちらか一方のローラー６は奥壁側の切り欠き部９より大きい径のものを取り付け、他方の一対のローラー６は奥壁側の切り欠き部９より小さい径のローラー６を取り付けたダブルハンガーを前記支持案内レール２に係合させたことを特徴とする浴室用ハンガー。
【発明の詳細な説明】
【０００１】
【産業上の利用分野】
本発明は、不使用時は奥壁側に垂下でき、使用時は手前側に９０度回動して水平状態にできるようにしたハンガー、及び浴室内で洗濯物を乾燥するために用いる浴室用ハンガーに関するものである。
【０００２】
【従来の技術】
従来、室内で使用するハンガーとしては、ハンガーロッドを支持するアームが折り畳み自在になっていて、このアームを折り拡げてハンガーロッドを係合して使用する。不使用時にはハンガーロッドを取り外して、アームを折り畳むものが存在している。また、従来技術の一実施例として、図４に示すように、浴室１４内に換気ファン１５、及び循環ファン１６と熱源機１７を設置して、浴室１４内の換気、乾燥を行うことが一般化している。この機能を利用して、浴室１４内の浴槽１８の上部に固定ハンガーロッド１９を固定して洗濯物の乾燥をするようにしたものが存在している。
【０００３】
【発明が解決しようとする課題】
しかしながら、従来の折り畳み自在のハンガーは、不使用時にはハンガーロッドを取り外して収納する場所を考慮しなければならないし、左右両側のアームを折り畳まなければならず、ワンタッチということは不可能であるという欠点があった。また、前記の従来技術におけるハンガーロッドは、確かに浴槽の上方のデッドスペースを利用して浴室の両側壁部に固定したものであるが、天井に近づけて固定した場合は、入浴する際に邪魔にはならないが、洗濯物を引っ掛ける場合、高さが高いのに加えて浴槽が障害になって掛けずらくなる。この掛けずらさを解消して手前側に固定すると入浴の際、頭等をぶっつけて危険であるという問題があった。
【０００４】
本発明は、このような事情に鑑み、洗濯物を乾燥する際のように使用時には、ハンガーロッドをワンタッチで手前側に両側の支持案内レールをガイドにして、回動させ引き上げながら引き出し、不使用時、例えば入浴時等の洗濯物を乾燥しない場合には邪魔にならないようにハンガーロッドを同様にワンタッチで後側に押し降ろしながら、奥壁側に沿うように垂下させる。手前側のローラーは、両側の支持案内レールから外れず係止できるように開放口より若干大きい径のローラーを採用して落下しないようにしたハンガーを提供することを目的とするものである。
【０００５】
【課題を解決するための手段】
本発明は、前記課題を解決するために、次のような技術手段を採用した。請求項１記載の発明においては、不使用時は奥壁側に沿うように垂下でき、使用時は手前側に両側支持案内レールをガイドにして、回動させながら引き上げ引き出すことができるようにしたハンガーにおいて、２本のハンガーロッドの両端を連結したステーに設けたローラーを支持する左右の支持案内レールを壁部に取り付け、前記支持案内レールは奥壁側は切り欠き部が形成され、奥壁側と反対側には落し込み部が形成されていて、前記２本のハンガーロッドを連結しているステーに設けられたローラーのうち、一対のどちらか一方のローラーは支持案内レールの奥壁側の切り欠き部より大きい径のものを取り付け、他方の一対のローラーは奥壁側の切り欠き部より小さい径のローラーを取り付けたダブルハンガーを前記支持案内レールに係合させるという技術手段を採用した。
【０００６】
請求項２記載の発明においては、浴室のデッドスペースに相当する浴槽上方に設置するハンガーにおいて、２本のハンガーロッドの両端を連結したステーに設けたローラーを支持する左右の支持案内レールを浴室内の浴槽側の両側壁部に取り付け、前記支持案内レールは奥壁側は切り欠き部が形成され、奥壁側と反対側には落し込み部が形成されていて、前記２本のハンガーロッドを連結しているステーに設けられたローラーのうち、一対のどちらか一方のローラーは奥壁側の切り欠き部より大きい径のものを取り付け、他方の一対のローラーは奥壁側の切り欠き部より小さい径のローラーを取り付けたダブルハンガーを前記支持案内レールに係合させるという技術手段を採用した。
【０００７】
【作用】
本発明は、以上の技術手段を採用した結果、２本のハンガーロッドの両端を連結したステーに取り付けたローラーを支持する支持案内レールを介してハンガーロッドを手前側に引き上げ引き出したり、後側の壁に沿うように押し戻し垂下したりすることができるように、しかも、後壁に沿うように垂下した時に落下しないように切り欠き部に対して一対のローラーが係止できるように大きい径として、押し戻すと自重で自然に垂下係止できるようにしたものである。
【０００８】
【実施例】
以下、本発明の一実施例を添付図面で詳細に説明する。
図１に示す実施例は、本発明に係る一実施例の全体概略斜視図で、一例として浴室で使用する場合について説明する。浴室のデッドスペースである浴槽１８の上方に位置するように、壁部４に皿ネジ等の適宜の固定手段で取り付けるもので、２本のハンガーロッド１の両端を連結したステー３を支持する支持案内レール２を壁部４に固定し、使用状態は実線で示すようになり、不使用状態は２点鎖線で示すように奥壁際に沿うように垂下されるものである。
【０００９】
次に、本発明の支持案内レール２と、ステー３によって両端を連結された２本のハンガーロッド１の取り付け関係を図２、図３に基づいて説明する。
【００１０】
図２は、各部材の組立て状態を示す分解斜視図で、支持案内レール２は、皿ネジ１３で壁部４に固定される。そして、２本のハンガーロッド１には、例えばパイプを使用した場合は両端に固定具１１が固設されていて、各パイプは、ステー３の両端に形成した係合孔１２に、ローラー軸５、ローラー６、ワッシャ７を介して、各パイプの端部に固設した固定具１１のネジ孔に螺合固定するものである。
【００１１】
この際、ローラー６は、一対の一方は少し大きい径で、他方の一対のローラー６は少し小さい径のものを採用し、支持案内レール２の案内面１０を滑動できるようになっている。そして、大きい径のローラー６は支持案内レール２の一端部の切り欠き部９より落下しないように大きく、小さい径のローラー６は切り欠き部９を通過できるように設計したものである。
【００１２】
ここでさらに図３で示した支持案内レール２について詳細に説明する。
２本のハンガーロッド１の両端を連結したステー３の両端部に取り付けたローラー６が係合されるように、支持案内レール２は形成されている。
このローラー６の、一方側の一対のローラー６は支持案内レール２の高さに略合わせて円滑に回転できるような径を有している。
【００１３】
そして、支持案内レール２の一端側に設けた落し込み部８に、使用時には係合するようになっている。そして、この落し込み部８の反対側には、下部に切り欠き部９が形成されている。
【００１４】
この切り欠き部９は、前記ローラー６の他方側の一対の若干径の小さいローラー６が切り欠き部９からはずれるような大きさの切り欠きが形成されている。しかし、一方側のローラー６の径の大きいローラー６は通過して落下することがないように決められている。
【００１５】
前記ハンガーロッド１を握って切り欠き部９から引き上げるように引き出し、手前側の落し込み部８に大きい方のローラー６を係合させることにより、後壁面に沿うように垂下させてあったハンガーを引き上げ手前側（浴槽の上方）に引き出した状態にする。
【００１６】
このような構成にすることにより、図１の実線で示した状態（使用時）からハンガーロッド１によって、矢印の方向すなわち後側に押しつけると、仮想線に示したような不使用時の状態になる。
【００１７】
また、ハンガーロッド１によって逆に引き上げると、図１に示す実線状態のように使用状態にすることができるものである。
尚、前記支持案内レール２の滑動面には滑り易い合成樹脂膜がラミネートされているとより良いものである。
【００１８】
【発明の効果】
本発明は、以上の構成を採用した結果、次の効果を得ることができる。
（１）不使用時は邪魔にならない奥壁側に垂下して退避できるようにし、使用時にはハンガーロッドを引き上げ引き出すことにより手前側にセットできるものである。
【００１９】
（２）浴室内のデッドスペースである浴槽の上方に、使用時には手前側に引き出し停止できて容易に洗濯物を引っ掛けて乾燥させることができ、不使用時には後方の壁側の邪魔にならない位置に押し垂下させてローラーを引っかけるように停止することができ、入浴の際、頭等をぶつけることがない。
【図面の簡単な説明】
【図１】本発明の１実施例に関する全体概略斜視図である。
【図２】前記実施例における要部分解斜視図である。
【図３】前記実施例における支持案内レールの正面図である。
【図４】従来技術である浴室内の洗濯物を乾燥している状態を示す概略説明図である。
【符号の説明】
１‥‥ハンガーロッド                ２・・・・支持案内レール
３・・・・ステー                        ４・・・・壁部
５・・・・ローラー軸                    ６・・・・ローラー
７・・・・ワッシャ                      ８・・・・落し込み部
９・・・・切り欠き部                  １０・・・・案内面
１１・・・・固定具                      １２・・・・係合孔
１３・・・・皿ネジ                      １４・・・・浴室
１５・・・・換気ファン                  １６・・・・循環ファン
１７・・・・熱源機                      １８・・・・浴槽
１９・・・・固定ハンガーロッド
【図１】
0003556334.tif 000002
【図２】
0003556334.tif 000003
【図３】
0003556334.tif 000004
【図４】
0003556334.tif 000005